(57)【要約】【課題】  従来の、精子受けが組み込まれてこれを回転駆動する装置では、精子受けの交換は専用のものに限られており、筒状の精子受けの形状や直径寸法などが異なっているものから、精子の被採取者に適合するものを手持ちの中から自由に選択してもらったり交換してもらったりすることは不可能であった。【解決手段】  そこで陰茎が挿入可能な筒状の精子受けを挿着するための取付部と、この取付部と前記精子受けとの空隙を埋めるべくこの空隙に挿着される、充気や抜気が可能な空気弁付きの空気袋と、を有する精子受けの取付部とした。さらにこの取付部を回転駆動する駆動装置を備えた精子受けの回転駆動装置とした。この結果精子受けを手持ちの中から自由に選択したり交換したりすることも可能となり、この意味で精子採取のコストが比較的安くなると言う効果もある。【選択図】図１
2016209502.tif 000002
【特許請求の範囲】
【請求項１】
陰茎が挿入可能な挿入口と挿入道とを有する柔軟な素材から成る筒状の精子受けを挿着するための取付部と、この取付部を回転駆動する駆動装置とから成り、前記取付部と前記精子受けとの空隙を埋めるべくこの空隙に装着される、充気や抜気が可能な空気弁付きの空気袋を有する、精子受けの回転駆動装置。
【請求項２】
前記取付部が前記駆動装置の回転駆動部に対して着脱自在に設けられている、請求項１に記載の精子受けの回転駆動装置。
【請求項３】
前記取付部側に取り付けた磁石と、前記回転駆動部に取り付けた磁石と、の磁力によって着脱自在である、請求項２に記載の精子受けの回転駆動装置。
【請求項４】
前記取付部の外側を覆うケースが設けられている、請求項１に記載の精子受けの回転駆動装置。
【請求項５】
前記空気袋の内側に前記精子受けが滑らないようにするための滑り止めを有する、請求項１に記載の精子受けの回転駆動装置。
【請求項６】
前記空気袋の外側に前記取付部が滑らないようにするための滑り止めを有する、請求項１に記載の精子受けの回転駆動装置。
【請求項７】
前記取付部の内側に前記空気袋が滑らないようにするための滑り止めを有する、請求項１に記載の精子受けの回転駆動装置。
【請求項８】
回転駆動装置に取り付けられて回転駆動される取付部であって、この中に挿着される精子受けとの空隙を埋めるべくこの空隙に装着される、充気や抜気が可能な空気弁付きの空気袋を有する、精子受けの取付部。
【請求項９】
前記空気袋の内側に前記精子受けが滑らないようにするための滑り止めを有する、請求項８に記載の精子受けの取付部。
【請求項１０】
前記空気袋の外側に前記取付部が滑らないようにするための滑り止めを有する、請求項８に記載の精子受けの取付部。
【請求項１１】
前記取付部の内側に前記空気袋が滑らないようにするための滑り止めを有する、請求項８に記載の精子受けの取付部。
【発明の詳細な説明】
【技術分野】
【０００１】  この発明は精子受けを挿着してこれを回転駆動する回転駆動装置に係り、精子受けが種々直径のものであってもこれ等を回転駆動装置にしっかりと固定することが出来る自由スペーサとしての空気袋を備えている、精子受けの回転駆動装置および精子受けの取付部に関するものである。
【背景技術】
【０００２】  従来の精子受け（精子採取器）は、陰茎を挿入するための医療用のシリコーンゴムなどを素材とする柔軟な筒状体の先端部分を閉じて精子受けとしたものが一般的である。このものを陰茎に被せて長手方向に往復運動させることにより陰茎に摩擦刺激を加えて、精子受け先端の精子溜りに精子を採取することが出来る。なお精子受けの先端部分が開放されたものにあっては、この部位に或いは陰茎そのものにコンドームを被せるなどして精液を採取するようにしている。【０００３】  特開２０１４−２０４９３４は当発明者に係る精子採取器であり、柔軟で弾力性を有するシリコーンゴム等の素材からなる筒状の精子受けと、この周りを覆う合成樹脂性の硬質のケースとから成るものである。筒状の精子受けがケースに対して着脱自在と成るように構成したものであり、精子受けの洗浄や乾燥の際にはケースから外すようにして用いることが出来る。【０００４】  また登実３１７２１６８の精子採取器も当発明者に係るものであって、柔軟で弾力性を有するシリコーンゴム等の素材からなる筒状の精子受けに、その周囲から締め付けるための締付具を備えたものである。筒状の精子受けを押す力を加減することにより陰茎に与える刺激を変化させることが出来る。
【先行技術文献】
【特許文献】
【０００５】
【特許文献１】特開２０１４−２０４９３４号公報
【特許文献２】実登第３１７２１６８号公報
【発明の概要】
【発明が解決しようとする課題】
【０００６】  ところで特開２０１４−２０４９３４の精子採取器がケースを備えているのに対して、登実３１７２１６８の精子採取器では精子受けが直接的に手で握れるようになっている。この他にも種々の精子採取器が販売されているが、ケースや筒状の精子受けの形状や直径寸法などが異なっているのが現状である。【０００７】  一方、柔軟で弾力性を有するシリコーンゴム等の素材からなる筒状の精子受けが挿着してあり、この精子受けを電動モータによって回転駆動する回転駆動装置がある。上述した特開２０１４−２０４９３４や登実３１７２１６８の精子採取器では、筒状の精子受けを陰茎に被せて長手方向に往復運動させることにより、陰茎に摩擦刺激を加えて精子を採取するのに対して、精子受けを往復運動させることなく、電動モータで回転運動させることによって陰茎に摩擦刺激を加えるのである。従って精子の採取作業に手を使うことなく、自動で採取が可能である点で人によっては後ろめたさが少ない。【０００８】  ところが、上述の精子受けは回転駆動装置に組み込まれており、精子受けの交換は専用のものに限られると言う問題がある。特開２０１４−２０４９３４や登実３１７２１６８のように種々ある精子採取器、ケースや筒状の精子受けの形状や直径寸法などが異なっている精子採取器を着脱出来るようであれば、精子の被採取者に適合するものを医師などが手持ちする中から自由に選択してもらったり交換してもらったりすることが可能になる。しかしながらケースや、筒状の精子受けの、外周形状や直径寸法などが異なっている精子採取器のどれでもを一つの回転駆動装置に着脱出来るようにするのは実際には困難なことであった。【０００９】  この発明の目的は上述したような問題点を解決した新しい回転駆動装置、またはこの種回転駆動装置に取り付けるための取付部、を提供することにある。
【課題を解決するための手段】
【００１０】  そこで当発明者は、回転駆動装置の精子受けの取り付け部分と精子受けとの空隙を簡単に埋め得るような自由スペーサーのようなものを回転駆動装置が備えるようにすれば良いと言う着想を得た。寸法調節可能なスペーサーが、ケースや筒状の精子受けの形状や直径寸法などが異なっている精子採取器を、回転駆動装置にしっかりと固定してくれるに違いない。【００１１】  すなわちこの発明の回転駆動装置は、陰茎が挿入可能な挿入口と挿入道とを有する柔軟な素材から成る筒状の精子受けを挿着するための取付部と、この取付部を回転駆動する駆動装置とから成り、前記取付部と前記精子受けとの空隙を埋めるべくこの空隙に挿着される、充気や抜気が可能な空気弁付きの空気袋を有することを特徴とする。【００１２】  取付部の内部には精子受けが挿着されるが、取付部と精子受けとの間には空気弁付きの空気袋が存在している。従って空気弁から空気を吹き込むと空気袋が膨張して、取付部と精子受けとの間を埋めることが出来る。この状態で空気弁は空気袋の膨らみを保つことが出来るから、精子受けは取付部の内部でしっかりと固定される。この状態で回転駆動装置を駆動すると、電動モータの回転によって精子受けが回転し、陰茎に回転摩擦刺激を加えるようになる。こうして精液が採取されたら、空気弁から抜気して空気袋を萎ませることで、取付部の内部から精子受けを取り出すことが出来る。【００１３】  すなわち形状や直径寸法のまちまちな精子受けを取付部の内部に挿着するわけであるから、取付部と精子受けとの間に生ずる空隙もまちまちであるが、空気袋はこの空隙を都合良く埋めることが出来る。このようであるから、被採取者に適合する精子受けを手持ちの中から自由に選択したり交換したりすることも可能となり、この意味で精子採取のコストが比較的安く上がると言う効果を奏する。【００１４】  次に、前記取付部が前記駆動装置の回転駆動部に対して着脱自在に設けられているものとしても良い。取付部が回転駆動部から取り外せると、取付部への精子受けの着脱作業がより容易なものとなり、使用後は精子受けから採取精液を溢し難くもなる。【００１５】  なおこの着脱構造に付いて、前記取付部側に取り付けた磁石と、前記回転駆動部に取り付けた磁石と、の磁力によって着脱自在であるものとすると良い。回転駆動部の回転運動は取付部に伝達されるものであるため、取付部は回転駆動部にしっかりと固定されるものでなくてはならない。そこで磁石と磁石による磁着力を用いる構造とすると、十分な固定力を得ることが出来る上、ネジなどで固定する構造のものよりは着脱作業がより容易なものとなる。【００１６】  次に、前記取付部の外側を覆うケースが設けられているものとしても良い。駆動装置を手で持つに当たって、他の部分ではなく取付部の辺りを手で持つと、その回転をすなわち精子受けの回転を止めてしまうことになりかねない。ところが取付部の外側を覆うケースが設けられていれば、このケースの部分を持っても精子受けの回転を止めてしまうことにはならないので、使い勝手が更に向上する。【００１７】  次に、前記空気袋の内側に前記精子受けが滑らないようにするための滑り止めを有するものとしても良い。上述したように空気袋��、取付部と精子受けとの間の空隙を都合良く埋めるため、精子受けは取付部の内部でしっかりと固定されて、電動モータの回転が精子受けに確実に伝達される。しかしながら空気袋と精子受けとの間の空滑りを気にするのであれば、空気袋の内側に滑り止めを設けるとより良いものとなる。【００１８】  次に、前記空気袋の外側に前記取付部が滑らないようにするための滑り止めを有するものとしても良い。取付部と空気袋との間の空滑りを気にするのであれば、空気袋の外側に滑り止めを設けるようにするとより良いものとなる。なお空気袋の内側と外側とに、すなわち空気袋の両側に、滑り止めを設けるようにすると良い。【００１９】  次に、前記取付部の内側に前記空気袋が滑らないようにするための滑り止めを有するものとしても良い。上述したように取付部と空気袋との間の空滑りを気にするのであれば、取付部の内側に滑り止めを設けるようにするとより良いものとなる。
【発明の効果】
【００２０】  この発明の精子受けの回転駆動装置は、陰茎が挿入可能な挿入口と挿入道とを有する柔軟な素材から成る筒状の精子受けを挿着するための取付部と、この取付部を回転駆動する駆動装置とから成り、前記取付部と前記精子受けとの空隙を埋めるべくこの空隙に挿着される、充気や抜気が可能な空気弁付きの空気袋を有する構成にしたので、またこの発明の精子受けの取付部は、回転駆動装置に取り付けられて回転駆動される取付部であって、この中に挿着される精子受けとの空隙を埋めるべくこの空隙に装着される充気や抜気が可能な空気弁付きの空気袋を有する構成にしたので、寸法調節可能な空気袋が精子受けを回転駆動装置にしっかりと固定してくれて、外周形状や直径寸法などの異なる精子受け（精子採取器）を着脱自在に使用することが出来るようになっている。
【図面の簡単な説明】
【００２１】
【図１】  この発明の実施例１を表した説明図である。
【図２】  実施例１を挿通口の方向から見た説明図である。
【図３】  実施例１の空気袋３を表した説明図である。
【図４】  実施例１の回路構成を表した説明図である。
【図５】  実施例２の空気袋５を表した説明図である。
【図６】  実施例３の空気袋６を表した説明図である。
【発明を実施するための形態】
【００２２】  以下では、この発明の精子受けの回転駆動装置の実施例を図面に基づいて説明するが、この発明はこれ等に限定されるものではなく、この発明の思想の範囲内で工夫される種々変形例もまたこの発明の権利範囲に含まれるものである。
【実施例１】
【００２３】  図１乃至図４で表した実施例１の回転駆動装置１は、電動モータ４３で回転駆動される前記取付部としての有底筒状を呈する挿着筒２と空気袋３とから成る。回転駆動装置１に納められギヤボックス４４を有する電動モータ４３の、回転出力を取り出す回転軸４５には駆動部１１が取り付けられており、この駆動部１１の回転面には鉄板１２が設けられている。一方、挿着筒２の開口部２０とは反対側の底部は受動部２１とされており、ここに磁石２２が設けられている。従って駆動部１１に受動部２１を接触させると、駆動部１１の鉄板１２に受動部２１の磁石２２が磁着して受動部２１と駆動部１１とが一体となり、駆動部１１を電動モータ４３で回転させると挿着筒２が回転することになる。この実施例の挿着筒２は回転駆動装置１に対して着脱自在である。【００２４】  上記挿着筒２には精子受け９が挿着されるが、精子受け９が挿着筒２の回転時に挿着筒２の中で滑るようであってはいけない。また挿着筒２は種々の異なる外周形状や直径寸法の精子受け９が挿着出来る必要がある。そこで挿着筒２と精子受け９との間に空気袋３を介在させ、空気袋３を膨らませることで挿着筒２と精子受け９との空隙を埋め、空滑りが起こらないようにするのである。空気袋３はビニール樹脂製であり、その周囲と５つの空気室との間が熔着部によって密封されているが、５つの空気室は図示しない空気流通路で繋がっていると共にその内の１つには空気弁３０が取り付けられている。更に空気袋３の一端部にはシート状の捲き込み片３２が設けられている。なお図３で符号３１は滑り止めの凸起を指す。このような構成の空気袋３を、図２の模式図で表すように精子受け９の回りに捲き付けて挿着筒２の中に納めてから、空気弁３０を以て空気袋３を膨張させ、精子受け９を挿着筒２の中に固定するようにする。この際挿着筒２の内周壁に形成された凸部２３が空気袋３に対する滑り止めとして作用する。【００２５】  さて上述した回転駆動装置１と挿着筒２と空気袋３とは基本構成であるが、この実施例では更に外筒状のカバー１０を備えている。このカバー１０は回転駆動装置１に固定されており、挿着筒２の回りを覆うように設けられている。またカバー１０の内周壁には挿着筒２に対してその回転運動を阻害しないようにするためのベアリング１３が設けられている。従って挿着筒２はカバー１０の内側で回転する。これは回転駆動装置１の電動モータ４３が納められている辺りを持つには問題ないことであるが、挿着筒２を持ってしまうとその回転運動を抑えてしまう問題があり、このためカバー１０を設けてここも持つことが出来るようにしているのである。なおカバー１０の開口部にはキャップ１４を取り付けるようにして使用する。キャップ１４には陰茎の挿通口１５が開口されているが、キャップ１４にはまたアンダーヘアーの巻き込みを防ぐ作用がある。【００２６】  回転駆動装置１の回路構成を表したものが図４であるが、電動モータ４３と制御回路４とには電源電池４２から電力が供給されるようになっている。制御回路４は電源スイッチ４０と制御スイッチ４１とを有する。電源スイッチ４０をＯＮにすると電動モータ４３が回転運動を始める。制御スイッチ４１は押す毎に電動モータ���３の回転スピードを変えるように設定されている。なおリズム的な回転動作を設定するようにも設計可能である。【００２７】  この発明では精子受け９は必須要件ではないが、シリコーンゴム素材の精子受け９には陰茎の挿入口９０と、挿入通路９１と、その先端部分の精液溜め９２が形成されている。この精子受け９は使い捨てとするのが好ましいが、良く洗浄して再利用に供するようにすることも可能である。【００２８】  そこでこの回転駆動装置１の使用法であるが、カバー１０の中の挿着筒２の開口部２０を掴んで引くと、受動部２１の磁石２３が駆動部１１の鉄板１２から引き離されて、受動部２１だけをカバー１０の外に取り出すことが出来る。次に選択した精子受け９の回りに空気袋３を捲き込み片３２を捲き込むようにして捲き付けてから再び挿着筒２の中に戻すように納める。この後は空気弁３０を以て空気袋３を膨張させ、空気弁３０を閉じて膨張した状態を保たせて精子受け９を挿着筒２の中に固定するようにする。このようにして、分離して取り扱いが楽になった挿着筒２に中に精子受け９をしっかりと固定したら、挿着筒２を再びカバー１０の中に戻すようにするが、この時挿着筒２側の受動部２１をカバー１０側の駆動部１１に接触させると、駆動部１１の鉄板１２に受動部２１の磁石２２が磁着して、受動部２１と駆動部１１とが一体になる。この時の様子を模式的に表したものが図１及び図２であり、ここでは精子受け９にハッチングを入れることで、挿着筒２や空気袋３からはっきりと区別し得るようにしている。また後述する使用方法が直感的に分かるようにもしている。【００２９】  このようにして準備が完了したら医療現場での実際の使用が可能になる。すなわち陰茎をキャップ１４の挿通口１５を通して精子受け９の挿入口９０から挿入通路９１へと挿通する。次に制御回路４の電源スイッチ４０をＯＮにすると電動モータ４３が回転し始め、これによって陰茎には精子受け９の回転刺激が加えられる。この際に精子受け９は、その凸起３１と挿着筒２側の凸部２３とによって挿着筒２の中で滑ることなく挿着筒２と共に回転運動を行う。また挿着筒２はカバー１０の中でベアリング１３の作用によって円滑に回転運動を行うことが出来る。こうして得られた精液は、精液溜め９２で保持されて後の使用に供される。なお空気袋３の空気弁３０を開けば空気袋３の全体が萎れて、挿着筒２から精子受け９を容易に取り出すことが出来るようになる。
【実施例２】
【００３０】  上述した実施例１の空気袋３は図３で表すように言わばシート状であったが、この実施例２の空気袋５は図５で表すようにある種容器状を呈しており、底部５０を有している点が特徴である。【００３１】  精子受け９は容器状の空気袋５に入れられその底部５０で受けられるので、空気弁５１から空気を吹き込んで空気袋５を膨張させ、空気弁５１を閉じて膨張した状態を保たせて精子受け９を、上述した挿着筒２の中に固定するようにする。
【実施例３】
【００３２】  上述した実施例１の空気袋３はビニール製に成るものであるが、この実施例３の空気袋６は薄手のポリエチレン製のフィルム２枚を重ね合わせて、その周囲と５つの空気室との間をヒートシールで熔着部が設けられ密封されているが、５つの空気室は図示しない空気流通路で繋がっていると共に、その内の１つには逆止弁６０が取り付けられている。この逆止弁６０は空気袋６が膨れるとその気圧で圧迫されて弁を閉じるように動作するものである。従って空気袋６に注気したり、空気袋６から抜気したりするに当たっては、逆止弁６０にストロー８のような細いチューブを差し入れる必要がある。なお図６で符号６１はテープ状の滑り止めを指す。ゴム製の滑り止め６１は空気袋６の表面に２列で接着されており、これが精子受け９に対する滑り止めとして作用する。【００３３】  空気袋６の逆止弁６０にストロー８を差し入れておき、空気袋６の滑り止め６１の側を内側にして精子受け９に巻き付け、上述した挿着筒２の中に納めてからストロー８を使って空気を吹き込み、挿着筒２の中で最大限膨張させたらすぐさまストロー８を逆止弁６０から引き抜いて、逆止弁６０を閉じるようにするのである。
【実施例４】
【００３４】  この実施例４に関しては、実施例１の説明からもまた図１からも明らかであるが、上記挿着筒２と空気袋３との組だけを販売することが出来る。これを購入した業者は、自己が用意する回転駆動装置にこれを組み合わせて販売することが可能になる。上記挿着筒２と空気袋３との組に於いては、寸法調節可能な空気袋３が精子受けを挿着筒２にしっかりと固定してくれるので、外周形状や直径寸法などの異なる精子受けを着脱自在に使用することが出来るのである。【００３５】  その他の実施例
この発明の取付部（実施例では挿着筒２）には、単に回転運動をさせるだけでなくその長手方向に往復運動させるような構成としても良い。取付部は、これを回転駆動する駆動装置に対して常に接続された状態であるように構成することも可能であるが、そうではなくて取付部が駆動装置に対して着脱自在に構成するのであれば、着脱手段として上述した磁石と鉄板との組合せ以外にも、面ファスナーのオス・メスの組合せを用いたものなどを自由に採用して良い。或いは駆動装置の取付部の回転駆動方向を常に一定であるものとして構成するのであれば、常に締まる方向に作用する逆ネジを用いて、取付部を駆動装置に対して着脱自在とする設計も可能である。なお駆動装置の電源には、上述した電池の他にも、家庭用電源に接続する電源アダプターなど、任意のものを利用して良い。
【産業上の利用可能性】
【００３６】  この発明は、例えば特許第５２６１３８２号の精子採取装置に記載されているように、性犯罪防止や性感染症の拡散防止や高齢者ＱＯＬ向上などのために使用し得る。またこの発明はヒト用に限定されることなく、家畜用等の精子採取器の分野に広く適用することが出来る。これ等もまたこの発明の権利範囲内にある。
【符号の説明】
【００３７】１    回転駆動装置  １０  カバー        １１  駆動部        １２  鉄板
１３  ベアリング    １４  キャップ      １５  挿通口        ２    挿着筒
２０  開口部        ２１  受動部        ２２  磁石          ２３  凸部
３    空気袋        ３０  空気弁        ３１  凸起          ３２  捲き込み片
４    制御回路      ４０  電源スイッチ  ４１  制御スイッチ  ４２  電源電池
４３  電動モータ    ４４  ギヤボックス  ４５  回転軸        ５    空気袋
５０  底部          ５１  空気弁        ６    空気袋        ６０  逆止弁
６１  滑り止め
【図１】
2016209502.tif 000003
【図２】
2016209502.tif 000004
【図３】
2016209502.tif 000005
【図４】
2016209502.tif 000006
【図５】
2016209502.tif 000007
【図６】
2016209502.tif 000008